(57)【要約】【課題】高速シーク動作においても浮上量の変動を抑制し安定性および信頼性の向上したヘッド、このヘッドを備えたヘッドサスペンションアッセンブリ、およびディスク装置を提供する。【解決手段】ヘッド４０のスライダ４２は、対向面４３に形成された負圧キャビティ５４と、対向面に突設され負圧キャビティに対して空気流の上流側に位置したリーディングステップ部５０と、対向面に突設され負圧キャビティに対して空気流の下流側に位置したトレーリングステップ部５６と、を有している。トレーリングステップ部は、第１方向Ｘに沿った所定の幅を有しスライダの流出端側に位置したベース部６０と、ベース部から第１方向に沿ってスライダの流入端側に突出した突出部６２と、を一体に有している。突出部のベース部側の基端はベース部の幅よりも小さな幅を有し、突出部の第１方向に沿った長さは、対向面の第１方向に沿った長さの約１８％以上である。【選択図】    図３
2006120198.tif 000002
【特許請求の範囲】
【請求項１】
回転自在な記録媒体の表面に対向する対向面を有し、前記記録媒体の回転によって上記記録媒体表面と対向面との間に生じる空気流により浮上するスライダと、
上記スライダに設けられ上記記録媒体に対し情報の記録再生を行うヘッド部と、を備え、
前記スライダは、前記対向面に形成された凹所により規定され負圧を発生させる負圧キャビティと、前記対向面に突出して設けられているとともに前記負圧キャビティに対して前記空気流の上流側に位置し、前記記録媒体に対向するリーディングステップ部と、前記対向面に突出して設けられているとともに前記負圧キャビティに対して前記空気流の下流側に位置し、前記記録媒体に対向するトレーリングステップ部と、を有し、
前記スライダの対向面は前記空気流の方向に延びた第１方向、および第１方向と直交する第２方向を有し、前記トレーリングステップ部は、前記スライダの流出端側に位置したベース部と、前記ベース部から前記第１方向に沿って前記スライダの流入端側に突出した突出部と、を一体に有し、
前記突出部の前記ベース部側の基端は、前記第２方向において、前記ベース部の幅よりも小さな幅を有し、前記突出部の前記第１方向に沿った長さは、前記対向面の前記第１方向に沿った長さの約１８％以上であるヘッド。
【請求項２】
前記突出部の前記第２方向に沿った幅は、前記ベース部の幅の３〜９７％に形成されている請求項１に記載のヘッド。
【請求項３】
前記ベース部は、前記第２方向に沿って延びているとともに前記スライダの流入端側を向いた基端面を有し、前記基端面は、前記第２方向に関し前記突出部の両側に位置している請求項１又は２に記載のヘッド。
【請求項４】
前記ベース部は、前記第２方向に延びているとともに前記スライダの流入端側を向いた基端面を有し、前記基端面は、前記第２方向に前記突出部の片側のみに位置している請求項１又は２に記載のヘッド。
【請求項５】
前記突出部は、それぞれ前記第１方向とほぼ平行に延びた一対の側面を有している請求項１ないし４のいずれか１項に記載のヘッド。
【請求項６】
前記スライダは、前記リーディングステップから前記スライダの下流端に向かって延出しているとともに前記負圧キャビティを囲んで前記対向面に突設された一対のレール部を有している請求項１ないし５のいずれか１項に記載のヘッド。
【請求項７】
ディスク状の記録媒体と、上記記録媒体を支持しているとともに回転駆動する駆動部と、を備えたディスク装置に用いるヘッドサスペンションアッセンブリであって、
前記記録媒体の表面に対向する対向面を有し、前記記録媒体の回転によって上記記録媒体表面と対向面との間に生じる空気流により浮上するスライダと、上記スライダに設けられ上記記録媒体に対し情報の記録再生を行うヘッド部と、を具備したヘッドと、
前記記録媒体に対して前記ヘッドを移動自在に支持しているとともに、前記記録媒体の表面に向かうヘッド荷重を前記ヘッドに印加したヘッドサスペンションと、を備え、
前記スライダは、前記対向面に形成された凹所により規定され負圧を発生させる負圧キャビティと、前記対向面に突出して設けられているとともに前記負圧キャビティに対して前記空気流の上流側に位置し、前記記録媒体に対向するリーディングステップ部と、前記対向面に突出して設けられているとともに前記負圧キャビティに対して前記空気流の下流側に位置し、前記記録媒体に対向するトレーリングステップ部と、を有し、
前記スライダの対向面は前記空気流の方向に延びた第１方向、および第１方向と直交する第２方向を有し、前記トレーリングステップ部は、前記スライダの流出端側に位置したベース部と、前記ベース部から前記第１方向に沿って前記スライダの流入端側に突出した突出部と、を一体に有し、
前記突出部の前記ベース部側の基端は、前記第２方向において、前記ベース部の幅よりも小さな幅を有し、前記突出部の前記第１方向に沿った長さは、前記対向面の前記第１方向に沿った長さの約１８％以上であるヘッドサスペンションアッセンブリ。
【請求項８】
前記突出部の前記第２方向に沿った幅は、前記ベース部の幅の３〜９７％に形成されている請求項７に記載のヘッドサスペンションアッセンブリ。
【請求項９】
ディスク状の記録媒体と、
前記記録媒体を支持しているとともに回転駆動する駆動部と、
前記記録媒体の表面に対向する対向面を有し、前記記録媒体の回転によって上記記録媒体表面と対向面との間に生じる空気流により浮上するスライダと、上記スライダに設けられ上記記録媒体に対し情報の記録再生を行うヘッド部と、を具備したヘッドと、
前記記録媒体に対して前記ヘッドを移動自在に支持しているとともに、前記記録媒体の表面に向かうヘッド荷重を前記ヘッドに印加したヘッドサスペンションと、を備え、
前記スライダは、前記対向面に形成された凹所により規定され負圧を発生させる負圧キャビティと、前記対向面に突出して設けられているとともに前記負圧キャビティに対して前記空気流の上流側に位置し、前記記録媒体に対向するリーディングステップ部と、前記対向面に突出して設けられているとともに前記負圧キャビティに対して前記空気流の下流側に位置し、前記記録媒体に対向するトレーリングステップ部と、を有し、
前記スライダの対向面は前記空気流の方向に延びた第１方向、および第１方向と直交する第２方向を有し、前記トレーリングステップ部は、前記スライダの流出端側に位置したベース部と、前記ベース部から前記第１方向に沿って前記スライダの流入端側に突出した突出部と、を一体に有し、
前記突出部の前記ベース部側の基端は、前記第２方向において、前記ベース部の幅よりも小さな幅を有し、前記突出部の前記第１方向に沿った長さは、前記対向面の前記第１方向に沿った長さの約１８％以上であるディスク装置。
【請求項１０】
前記突出部の前記第２方向に沿った幅は、前記ベース部の幅の３〜９７％に形成されている請求項９に記載のディスク装置。
【発明の詳細な説明】
【技術分野】
【０００１】
この発明は、磁気ディスク装置等のディスク装置に用いるヘッド、このヘッドを備えたヘッドサスペンションアッセンブリ、およびヘッドサスペンションアッセンブリを備えたディスク装置に関する。
【背景技術】
【０００２】
ディスク装置として、例えば、磁気ディスク装置は、ケース内に配設された磁気ディスクと、磁気ディスクを支持および回転駆動するスピンドルモータと、磁気ディスクに対して情報のリード／ライトを行う磁気ヘッドと、磁気ヘッドを磁気ディスクに対して移動自在に支持したキャリッジアッセンブリと、を備えている。キャリッジアッセンブリは、回動自在に支持されたアームと、アームから延出したサスペンションとを備え、このサスペンションに延出端に磁気ヘッドが支持されている。磁気ヘッドは、サスペンションに取り付けられたスライダ、およびスライダに設けられたヘッド部を有し、ヘッド部は、リード用の再生素子、ライト用の記録素子を含んで構成されている。
【０００３】
スライダは、磁気ディスクの記録面と対向した対向面を有している。スライダは、サスペンションにより、磁気ディスクの磁気記録層に向う方向に所定のヘッド荷重が印加されている。磁気ディスク装置の動作時、回転する磁気ディスクとスライダとの間には空気流が発生し、スライダの対向面には、空気流体潤滑の原理により、スライダを磁気ディスク記録面から浮上させる力が作用する。この浮上力とヘッド荷重とを釣り合わせることにより、スライダは磁気ディスク記録面と一定の隙間を保って浮上している。
【０００４】
スライダの浮上量は、磁気ディスクのどの半径位置においても同程度であることが求められる。磁気ディスクの回転数は一定であり、周速は半径位置に応じて相違している。また、磁気ヘッドは、回転式のキャリッジアッセンブリにより位置決めされるために、スキュー角（流れの方向とスライダの中心線とのなす角）もディスクの半径位置に応じて相違している。そのため、スライダの設計においては、ディスクの半径位置に応じて変化する上記２つのパラメータを適宜利用して、ディスク半径位置による浮上量の変化を抑制する必要がある。
【０００５】
使用環境の変化を考慮した場合、ディスク装置は、高地での減圧環境下においても円滑に動作することが求められる。空気流体潤滑によってスライダ対向面に作用する正圧とヘッド荷重との釣り合いのみを考慮して磁気ヘッドを構成した場合、減圧環境下では、空気流体潤滑によって生じる正圧が減少する。そのため、スライダは、浮上量が低下した位置で釣り合うか、磁気ディスク表面に接触してしまう。
【０００６】
このような浮上量の低下を防止するため、スライダの対向面中央付近に負圧キャビティを形成したディスク装置が知られている（例えば、特許文献１）。負圧キャビティは、空気流出方向以外の３方向を凸部からなるレールに囲まれた溝によって形成されている。そして、負圧キャビティにより発生した負圧、ヘッド荷重、および正圧の釣り合いにより、スライダが浮上するように構成されている。上記構成によれば、減圧環境下において、発生する正圧は減少するが同時に負圧も減少し、浮上量低下の少ないスライダを実現することができる。また、スライダの空気流流出端側において、負圧キャビティにはセンターパッドが形成され、ヘッド部は、センタパッドの近傍で、スライドの流出側端面に設けられている。
【０００７】
このように、スライダ対向面の凹凸形状を工夫することにより、スライダの浮上量、浮上姿勢、減圧低下浮上量を調整することができる。スライダ対向面の凹凸形状は、単一か数種類の深さの溝で構成されている。
【特許文献１】特開２００１−２８３５４９号公報
【発明の開示】
【発明が解決しようとする課題】
【０００８】
上記のようなディスク装置において、作動時、磁気ヘッドは、磁気ディスクの表面上を外周側から内周側に、あるいは内周側から外周側に所望のトラックに向かって移動するシーク動作を行う。近年、処理速度の高速化に伴い、磁気ヘッドのシーク速度を高速化している。
【０００９】
しかしながら、磁気ヘッドのシーク動作の間、磁気ディスク表面とスライダとの間に発生する空気膜力が変動し、スライダの浮上量が変動する。特に、シーク速度の増加に伴い空気膜力が低下し、スライダの浮上量が低下する。このように磁気ヘッドの浮上挙動変化が発生した場合、安定した記録再生が損なわれる虞がある。従って、装置の信頼性の点で問題となっている。
【００１０】
この発明は以上の点に鑑みなされたもので、その目的は、高速シーク動作においても浮上量の変動を抑制し安定性および信頼性の向上したヘッド、このヘッドを備えたヘッドサスペンションアッセンブリ、およびディスク装置を提供することにある。
【課題を解決するための手段】
【００１１】
上記目的を達成するため、この発明の態様に係るヘッドは、回転自在な記録媒体の表面に対向する対向面を有し、前記記録媒体の回転によって上記記録媒体表面と対向面との間に生じる空気流により浮上するスライダと、上記スライダに設けられ上記記録媒体に対し情報の記録再生を行うヘッド部と、を備え、  
前記スライダは、前記対向面に形成された凹所により規定され負圧を発生させる負圧キャビティと、前記対向面に突出して設けられているとともに前記負圧キャビティに対して前記空気流の上流側に位置し、前記記録媒体に対向するリーディングステップ部と、前記対向面に突出して設けられているとともに前記負圧キャビティに対して前記空気流の下流側に位置し、前記記録媒体に対向するトレーリングステップ部と、を有し、  
前記スライダの対向面は前記空気流の方向に延びた第１方向、および第１方向と直交する第２方向を有し、前記トレーリングステップ部は、前記スライダの流出端側に位置したベース部と、前記ベース部から前記第１方向に沿って前記スライダの流入端側に突出した突出部と、を一体に有し、  
前記突出部の前記ベース部側の基端は、前記第２方向において、前記ベース部の幅よりも小さな幅を有し、前記突出部の前記第１方向に沿った長さは、前記対向面の前記第１方向に沿った長さの約１８％以上となっている。
【００１２】
この発明の他の態様に係るディスク装置は、ディスク状の記録媒体と、前記記録媒体を支持しているとともに回転駆動する駆動部と、前記記録媒体の表面に対向する対向面を有し、前記記録媒体の回転によって上記記録媒体表面と対向面との間に生じる空気流により浮上するスライダと、上記スライダに設けられ上記記録媒体に対し情報の記録再生を行うヘッド部と、を具備したヘッドと、前記記録媒体に対して前記ヘッドを移動自在に支持しているとともに、前記記録媒体の表面に向かうヘッド荷重を前記ヘッドに印加したヘッドサスペンションと、を備えている。  
前記スライダは、前記対向面に形成された凹所により規定され負圧を発生させる負圧キャビティと、前記対向面に突出して設けられているとともに前記負圧キャビティに対して前記空気流の上流側に位置し、前記記録媒体に対向するリーディングステップ部と、前記対向面に突出して設けられているとともに前記負圧キャビティに対して前記空気流の下流側に位置し、前記記録媒体に対向するトレーリングステップ部と、を有し、  
前記スライダの対向面は前記空気流の方向に延びた第１方向、および第１方向と直交する第２方向を有し、前記トレーリングステップ部は、前記スライダの流出端側に位置したベース部と、前記ベース部から前記第１方向に沿って前記スライダの流入端側に突出した突出部と、を一体に有し、  
前記突出部の前記ベース部側の基端は、前記第２方向において、前記ベース部の幅よりも小さな幅を有し、前記突出部の前記第１方向に沿った長さは、前記対向面の前記第１方向に沿った長さの約１８％以上となっている。
【発明の効果】
【００１３】
以上の詳述したように、本発明によれば、高速シーク動作においても浮上量の変動を抑制し安定性および信頼性の向上したヘッド、このヘッドを備えたヘッドサスペンションアッセンブリ、およびディスク装置を提供することができる。
【発明を実施するための最良の形態】
【００１４】
以下図面を参照しながら、この発明に係るディスク装置をハードディスクドライブ（以下、ＨＤＤと称する）に適用した実施形態について詳細に説明する。
【００１５】
図１に示すように、ＨＤＤは、上面の開口した矩形箱状のケース１２と、複数のねじによりケースにねじ止めされケースの上端開口を閉塞する図示しないトップカバーと、を有している。
【００１６】
ケース１２内には、記録媒体としての磁気ディスク１６、磁気ディスクを支持および回転させる駆動部としてのスピンドルモータ１８、磁気ディスクに対して情報の書き込み、読み出しを行なう複数の磁気ヘッド、これらの磁気ヘッドを磁気ディスク１６に対して移動自在に支持したキャリッジアッセンブリ２２、キャリッジアッセンブリを回動および位置決めするボイスコイルモータ（以下、ＶＣＭと称する）２４、磁気ヘッドが磁気ディスクの最外周に移動した際、磁気ヘッドを磁気ディスクから離間した退避位置に保持するランプロード機構２５、およびヘッドＩＣ等を有する基板ユニット２１等が収納されている。
【００１７】
ケース１２の底壁外面には、基板ユニット２１を介して、スピンドルモータ１８、ＶＣＭ２４、および磁気ヘッドの動作を制御する図示しないプリント回路基板がねじ止めされている。
【００１８】
磁気ディスク１６は、上面および下面に磁気記録層を有している。そして、磁気ディスク１６は、スピンドルモータ１８の図示しないハブの外周に嵌合されているとともに、クランプばね１７によってハブ上に固定されている。スピンドルモータ１８を駆動することにより、磁気ディスク１６は所定の速度、例えば、４２００ｒｐｍで矢印Ｂ方向に回転される。
【００１９】
キャリッジアッセンブリ２２は、ケース１２の底壁上に固定された軸受部２６と、軸受部から延出した複数のアーム３２と、を備えている。これらのアーム３２は、磁気ディスク１６の表面と平行に、かつ、互いに所定の間隔を置いて位置しているとともに、軸受部２６から同一の方向へ延出している。キャリッジアッセンブリ２２は、弾性変形可能な細長い板状のサスペンション３８を備えている。サスペンション３８は、板ばねにより構成され、その基端がスポット溶接あるいは接着によりアーム３２の先端に固定され、アームから延出している。各サスペンション３８は対応するアーム３２と一体に形成されていてもよい。アーム３２およびサスペンション３８によりヘッドサスペンションを構成し、このヘッドサスペンションと磁気ヘッドとによりヘッドサスペンションアッセンブリを構成している。
【００２０】
図２に示すように、各磁気ヘッド４０は、ほぼ直方体形状のスライダ４２とこのスライダに設けられた記録再生用のヘッド部４４とを有し、サスペンション３８の先端部に設けられたジンバルばね４１に固定されている。各磁気ヘッド４０は、サスペンション３８の弾性により、磁気ディスク１６の表面に向かうヘッド荷重Ｌが印加されている。
【００２１】
図１に示すように、キャリッジアッセンブリ２２は、軸受部２６からアーム３２と反対の方向へ延出した支持枠４５を有し、この支持枠により、ＶＣＭ２４の一部を構成するボイスコイル４７が支持されている。支持枠４５は、合成樹脂によりボイスコイル４７の外周に一体的に成形されている。ボイスコイル４７は、ケース１２に固定された一対のヨーク４９間に位置し、これらのヨーク、および一方のヨークに固定された図示しない磁石とともにＶＣＭ２４を構成している。ボイスコイル４７に通電することにより、軸受部２６の回りでキャリッジアッセンブリ２２が回動し、磁気ヘッド４０は磁気ディスク１６の所望のトラック上に移動および位置決めされる。
【００２２】
ランプロード機構２５は、ケース１２の底壁に設けられているとともに磁気ディスク１６の外側に配置されたランプ５１と、各サスペンション３８の先端から延出したタブ５３と、を備えている。キャリッジアッセンブリ２２が、磁気ディスク１６の外側の退避位置まで回動する際、各タブ５３は、ランプ５１に形成されたランプ面と係合し、その後、ランプ面の傾斜によって引き上げられ、磁気ヘッドのアンロード動作を行う。
【００２３】
次に、磁気ヘッド４０の構成について詳細に説明する。図２ないし図５に示すように、磁気ヘッド４０はほぼ直方体状に形成されたスライダ４２を有し、このスライダは磁気ディスク１６の表面に対向する矩形状のディスク対向面４３を有している。ディスク対向面４３の長手方向を第１方向Ｘ、これと直交する幅方向を第２方向Ｙとする。
【００２４】
磁気ヘッド４０は浮上型のスライダとして構成され、スライダ４２は、磁気ディスク１６の回転によってディスク表面とディスク対向面４３との間に生じる空気流Ｃにより浮上する。ＨＤＤの動作時、スライダ４２のディスク対向面４３はディスク表面に対し常に隙間を保って対向している。ここで、空気流Ｃの方向は、磁気ディスク１６の回転方向Ｂと一致している。スライダ４２は、磁気ディスク１６表面に対し、ディスク対向面４３の第１方向Ｘが空気流Ｃの方向とほぼ一致するように配置されている。
【００２５】
ディスク対向面４３上には磁気ディスク表面と対向したリーディングステップ部５０が突設されている。このリーディングステップ部５０は、空気流Ｃの方向に対し、上流側が閉塞され、下流側に向かって開放したほぼＵ字形状に形成されている。磁気ヘッド４０のピッチ角を維持するため、リーディングステップ部５０上には、空気膜によってスライダ４２を支えるリーディングパッド５２が突設されている。リーディングパッド５２は、第２方向Ｙに沿って連続的に延びた細長い形状に形成され、空気流Ｃに対し、スライダ４２の流入端側に位置している。
【００２６】
リーディングステップ部５０は、ディスク対向面４３の各長辺に沿って延びているとともに間隔を置いて対向した一対のレール部４６を有している。各レール部４６はリーディングパッド５２からスライダ４２の下流端側に延出している。各レール部４６には、サイドパッド４８が形成され、磁気ディスク表面と対向している。
【００２７】
ディスク対向面４３のほぼ中央部には、レール部４６およびリーディングステップ部５０によって規定された凹所からなる負圧キャビティ５４が形成されている。負圧キャビティ５４は、空気流Ｃの方向に対し、リーディングステップ部５０の下流側に形成され、かつ、下流側に向かって開放している。負圧キャビティ５４を設けることにより、ＨＤＤで実現される全てスキュー角において、ディスク対向面４３中心部で負圧を発生させることができる。
【００２８】
スライダ４２は、空気流Ｃの方向に対して、ディスク対向面４３の下流側の端部に突出して設けられた磁気ディスク表面と対向したトレーリングステップ部５６を有している。トレーリングステップ部５６は、空気流Ｃの方向に対して、負圧キャビティ５４の下流側に位置し、かつ、ディスク対向面４３の幅方向ほぼ中央に位置している。
【００２９】
図３ないし図５に示すように、トレーリングステップ部５６は、ほぼ矩形状のベース部６０とベース部からディスク対向面４３の流入端側に向かって延出した延出部６２とを一体に備えている。ベース部６０は、第１方向Ｘに沿った所定の幅を有しディスク対向面４３の流出端側に設けられている。本実施形態において、ベース部６０は、ディスク対向面４３の第２方向Ｙにおいてほぼ中央部設けられている。ベース部６０の下流側端部には、トレーリングパッド６６が形成され、磁気ディスク１６の表面と対向している。
【００３０】
突出部６２はベース部６０のほぼ中央から突出している。第２方向Ｙにおいて、突出部６２のベース部６０側の基端６２ａはベース部６０の幅よりも小さな幅に形成されている。これにより、ベース部６０は、第２方向Ｙに沿って延びているとともにスライダ４２の流入端側を向いた基端面６０ａを有し、この基端面は、第２方向Ｙに関し突出部６２の両側に位置している。突出部６２の第２方向Ｙに沿った幅Ｗ２は、ベース部６０の幅Ｗ１の３〜９７％、好ましくは、１５〜７０％に形成されている。
【００３１】
突出部６２は、それぞれ第１方向Ｘとほぼ平行に延びた一対の側面６２ｂを有している。突出部６２の第１方向Ｘに沿った長さＬ１は、ディスク対向面４３の第１方向Ｘに沿った長さＬの約１８％以上、より好ましくは２５％以上に形成されている。
【００３２】
図３ないし図５に示すように、磁気ヘッド４０のヘッド部４４は、磁気ディスク１６に対して情報の記録再生を行う記録素子および再生素子を有している。これら再生素子および記録素子は、空気流Ｃの方向に対して、スライダ４２の下流側端部内に埋め込まれている。再生素子および記録素子は、トレーリングパッド６６に形成されたリード／ライトギャップ６４を有している。  
図２に示すように、上記構成の磁気ヘッド４０は、ヘッド部４４のリード／ライトギャップ６４が最もディスク表面に接近した傾斜姿勢をとって浮上する。
【００３３】
以上のように構成されたＨＤＤおよびヘッドサスペンションアッセンブリによれば、磁気ヘッド４０は、磁気ディスク１６の回転によってディスク表面とディスク対向面４３との間に生じる空気流Ｃにより浮上する。これにより、ＨＤＤの動作時、スライダ４２のディスク対向面４３はディスク表面に対し常に隙間を保って対向している。そして、上記構成の磁気ヘッド４０によれば、トレーリングステップ部５６はベース部６０から突出した突出部６２を有していることから、高速シーク動作においても浮上量の変動を抑制し安定性および信頼性の向上を図ることができる。
【００３４】
磁気ヘッド４０のシーク速度が変化した場合の空気膜力の変動をシュミレーションした。図６に破線で示すように、トレーリングステップ部が突出部を備えていない従来の磁気ヘッドでは、シーク速度が５ｍ／ｓの高速に達すると、所定の浮上姿勢から発生する空気膜力が５０％まで低下する。これに対して、図６に実線で示すように、本実施形態に係る磁気ヘッド４０によれば、シーク速度が５ｍ／ｓに達した場合でも、空気膜力の低下は２％に抑えることができる。
【００３５】
このような空気膜力の低下を抑制できる理由を解析するため、本発明者等は、形状の異なる種々のトレーリングステップ部を有した磁気ヘッド、例えば、図７に示すように、５種類の磁気ヘッドＡ、Ｂ、Ｃ、Ｄ、Ｅを用意し、シーク速度の上昇に伴う空気膜力の変動を比較した。スライダにおけるトレーリングステップ部の面積、トレーリングパッドの面積、および負圧キャビティの深さは、５つの磁気ヘッドともに同一であり、トレーリングステップ部の形状のみが異なる。一例として、負圧キャビティの深さを１μｍ、トレーリングステップの深さを０．１２μｍとした。
【００３６】
磁気ヘッドＡ、Ｂは、いずれも突出部を持たない構成であり、磁気ヘッドＣ、Ｄ、Ｅは、いずれも本願実施形態に係る磁気ヘッドと同様に突出部を有し、それぞれ突出部の長さが互いに相違している。
【００３７】
図８に示すように、突出部を持たない磁気ヘッドＡ、Ｂでは、シーク速度の上昇に伴う空気膜力の低下率は２０〜３０％であった。これに対して、磁気ヘッドＣ、Ｄでは、スライダの第１方向Ｘに延びた突出部６２を設けることにより、空気膜力の低下抑制効果が見られ始め、磁気ヘッドＥのように、突出部６２の長さがスライダの全長に対して約１８％に形成されている場合、空気膜力の低下は３％となり、大幅に改善された。
【００３８】
図９は、各トレーリングステップ部に形状について、シーク速度変化に伴う空気膜力の変動する割合を示している。トレーリングステップ部に突出部６２を設けることにより、シーク時の空気膜力の低下が抑えられ、更に、突出部の突出長さを大きくすると、シーク速度の上昇に従って空気膜力はむしろ増加して行くことが分かる。これは、図１０に示すように、シーク時、ヨー角の付いた空気流ｂおよび空気流ｃを突出部６２で受け止めることにより、空気膜力の発生効率が高まるためである。
【００３９】
図１１は、本実施形態に係る磁気ヘッドと従来の磁気ヘッドとについて、シーク時の磁気ヘッド浮上量変動をシュミレーションした結果を示している。図において、横軸は、磁気ディスクの回転速度に対するシーク速度の比を示している。本実施形態に係る磁気ヘッドと従来の磁気ヘッドとにおいて、リーディングステップ部、負圧キャビティの形状および寸法は同一であり、トレーリングステップ部の形状のみが相違している。本実施形態に係る磁気ヘッドによれば、シーク速度変化に対する磁気ヘッドの浮上量変動は、従来例に対して大きく低減していることが分かる。
【００４０】
以上のことから、本実施形態に係る磁気ヘッドおよびこれを備えたヘッドサスペンションアッセンブリ、ＨＤＤによれば、高速シーク動作においても浮上量の変動を抑制し安定した記録再生を行うことができるとともに、磁気ヘッドと磁気ディスクとの衝突を防止し信頼性の向上を図ることができる。
【００４１】
本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【００４２】
スライダにおけるリーディングステップ部、トレーリングステップ部、各パッドの形状および寸法等は上述した実施形態に限定されることなく、必要に応じて変更可能である。例えば、図１２に示すように、トレーリングステップ部５６の突出部６２は、ベース部６０の中央部に限らず、第２方向Ｙについて、ベース部６０の片側に片寄って設けられていてもよい。この場合、突出部６２の一方の側面６２ｂは、ベース部６０の側面と面一に整列して延びている。そして、ベース部６０の基端面６０ａは、第２方向Ｙにおいて突出部６２の片側のみに位置している。
【００４３】
また、ベース部６０の基端面６０ａおよび突出部６２の側面６２ｂは、必ずしも直線に限定されることなく、例えば図１３に示すように、湾曲した形状に形成されていてもよい。  
図１２および図１３に示す実施形態において、他の構成は前述した実施形態と同一であり、同一の部分には同一の参照符号を付してその詳細な説明を省略する。そして、これらの実施形態においても、前述した実施形態と同様の作用効果を得ることができる。
【図面の簡単な説明】
【００４４】
【図１】図１は、この発明の実施形態に係るＨＤＤを示す平面図。
【図２】図２は、上記ＨＤＤにおける磁気ヘッド部分を拡大して示す側面図。
【図３】図３は、上記磁気ヘッドのスライダのディスク対向面側を示す斜視図。
【図４】図４は、上記スライダのディスク対向面側を示す平面図。
【図５】図５は、図４の線Ａ−Ａに沿った断面図。
【図６】図６は、本実施形態に係る磁気ヘッドと従来例とについて、シーク速度変化に対する空気膜力の変動を示す図。
【図７】図７は、トレーリングステップ部の形状が異なる５種類の磁気ヘッドスライダを示す平面図。
【図８】図８は、前記５種類の磁気ヘッドについて、シーク速度と空気膜力との関係を示す図。
【図９】図９は、前記５種類の磁気ヘッドについて、シーク速度変化に伴う空気膜力の変動する割合を示す図。
【図１０】図１０は、ヨー角の付いた空気流とトレーリングステップ部との関係を模式的に示す平面図。
【図１１】図１１は、本実施形態に係る磁気ヘッドと従来例とについて、シーク速度変化に対する磁気ヘッドの浮上量変動を示す図。
【図１２】図１２は、この発明の他の実施形態に係る磁気ヘッドのスライダを示す平面図。
【図１３】図１３は、この発明の更に他の実施形態に係る磁気ヘッドのスライダを示す平面図。
【符号の説明】
【００４５】
１２…ケース、  １６…磁気ディスク、  １８…スピンドルモータ
２２…キャリッジアッセンブリ、  ２６…軸受部、  ３２…アーム、
３８…サスペンション、  ４０…磁気ヘッド、  ４２…スライダ、
４３…ディスク対向面、  ４４…ヘッド部、  ４６…レール部、
５０…リーディングステップ部、  ５４…負圧チェンバ、
５６…トレーリングステップ部、  ６０…ベース部、  ６０ａ…基端面、
６２…突出部、  ６２ｂ…側面
【図１】
2006120198.tif 000003
【図２】
2006120198.tif 000004
【図３】
2006120198.tif 000005
【図４】
2006120198.tif 000006
【図５】
2006120198.tif 000007
【図６】
2006120198.tif 000008
【図７】
2006120198.tif 000009
【図８】
2006120198.tif 000010
【図９】
2006120198.tif 000011
【図１０】
2006120198.tif 000012
【図１１】
2006120198.tif 000013
【図１２】
2006120198.tif 000014
【図１３】
2006120198.tif 000015